(57)【要約】【課題】設置個所を問わず、付室と隣接する空間との圧力差を瞬時に所定の大きさにすることができる防火扉装置を提供すること。【解決手段】建物の避難区画に開閉可能となる態様で配設され、かつ付室１を画成するための防火扉（２０）と、防火扉（２０）に設けられ、かつ開操作された場合に防火扉（２０）が開放動作することを許容するノブ３０とを備えた防火扉装置（１０）において、防火扉（２０）の一部を構成し、かつノブ３０の開操作に応じて開移動して防火扉（２０）に形成された圧力調整口２２を開成する一方、ノブ３０の開操作終了に応じて閉移動して圧力調整口２２を閉成する圧力調整扉２３と、ノブ３０の開操作に応じて開移動する圧力調整扉２３の開移動量を調整する開移動量調整手段（２８１）とを備えている。【選択図】        図１
2010090538.tif 000002
【特許請求の範囲】
【請求項１】
建物の避難区画に開閉可能となる態様で配設され、かつ付室を画成するための防火扉と、
前記防火扉に設けられ、かつ開操作された場合に前記防火扉が開放動作することを許容するノブと
を備えた防火扉装置において、
前記防火扉の一部を構成し、かつ前記ノブの開操作に応じて開移動して前記防火扉に形成された開口を開成する一方、該ノブの開操作終了に応じて閉移動して前記開口を閉成する圧力調整扉と、
前記ノブの開操作に応じて開移動する前記圧力調整扉の開移動量を調整する開移動量調整手段と
を備えたことを特徴とする防火扉装置。
【請求項２】
前記圧力調整扉は、前記防火扉の下端部を構成することを特徴とする請求項１に記載の防火扉装置。
【請求項３】
前記圧力調整扉は、前記防火扉の幅方向に沿ってそれぞれが開閉移動する態様で回動可能に並設され、かつ付勢手段により付勢されて常態においては前記開口を閉成する複数のダンパー部材を備えて成り、
前記ノブが開操作された場合に前記ダンパー部材が付勢手段の付勢力に抗して開移動して前記開口を開成する一方、該ノブの開操作が終了した場合に前記ダンパー部材が付勢手段に付勢されて閉移動して前記開口を閉成することを特徴とする請求項１又は請求項２に記載の防火扉装置。
【発明の詳細な説明】
【技術分野】
【０００１】
本発明は、防火扉装置に関し、より詳細には、建物の避難区画に開閉可能となる態様で配設され、かつ付室を画成するための防火扉と、この防火扉に設けられ、かつ開操作された場合に防火扉が開放動作することを許容するノブとを備えた防火扉装置に関する。
【背景技術】
【０００２】
建物の付室は、一般に階段室の前に設けられており、階段室に煙を進入させないようにするとともに、災害弱者等の在館者が避難時に一時的に留まることができ、また消防隊の活動拠点ともなる、火災時の重要な空間（室）である。ここで付室とは、建築基準法に規定されるものであり、避難の際に室内から避難階段へ移動する際の緩衝地帯であって火災及び煙を避難階段から遮断するための室のことをいう。かかる付室を画成する防火扉が、避難区画に開閉可能となる態様で設けられている。
【０００３】
近年、付室に煙を進入させないことを目的として、付室に給気、すなわち空気を供給して付室の圧力を隣接する空間（火災室や廊下等）よりも高くする方式（付室加圧防煙方式）が採用されている。そのような付室加圧防煙方式では、単に付室の圧力を高めるだけでなく、避難時や消防活動時に防火扉を容易に開放動作できるようにすることも必要である。このため防火扉閉鎖時には、付室と周囲の空間との間に過剰な圧力差が生じないようにする必要がある。
【０００４】
そこで、従来、付室と周囲の空間との圧力差を検知し、付室への給気量を制御する方式（給気風量制御方式）、付室を画成する壁に孔を形成し、該孔に圧力差に応じて開閉できるダンパー部材を設けて付室に供給された空気の一部を外部へ吐出する方式（リリーフダンパー方式）、付室へ空気を供給するための給気ダクトに上記ダンパー部材を設ける方式（ダクトのリリーフダンパー方式）等の種々の方式が採用されている。
【０００５】
しかしながら、給気風量制御方式では、付室と周囲の空間との圧力差を検知してから、給気用のファンの回転数等を制御するため、付室と周囲の空間との圧力差を所定の大きさにするのに時間を要してしまう問題があった。また、建物規模が大きいと、センサ等の検知手段の設置数や配線量が膨大なものとなり、コストの増大を招来する虞れがあった。
【０００６】
また、リリーフダンパー方式では、付室が建物の隅に設けられている場合には、リリーフダンパーが直接外気に面して風圧等の影響を受けやすく好ましいものではなく、また付室が建物内部中心域に設けられている場合には、外気までの給気逃がしの経路を確保することが困難である。
【０００７】
更に、ダクトのリリーフダンパー方式では、給気ダクトにおけるダンパー部材の取付位置により該ダンパー部材に与える影響が異なるため、取付位置の調整が困難である。
【０００８】
そこで、防火扉と、ノブと、可動扉とを備えた防火扉装置が知られている。ノブは、防火扉に設けられ、かつ開操作された場合に防火扉が開放動作することを許容するものである。可動扉は、防火扉に設けられた開口を開閉するためのもので、ノブが開操作される場合に、開操作量に応じて予め決められた移動量だけ開移動して開口を開成し、ノブの開操作が終了すると付勢手段の付勢力により閉移動して上記開口を閉成するものである。このような防火扉装置においては、ノブの開操作で可動扉を開移動させて開口を開成することができるので、付室と周囲の空間との圧力差を所定の大きさにすることが可能になる（例えば、特許文献１参照）。
【０００９】
【特許文献１】特開平７−２５９４０７号公報
【発明の開示】
【発明が解決しようとする課題】
【００１０】
ところで、上述したような特許文献１に提案されているような防火扉装置では、ノブが開操作される場合に、開操作量に応じて予め決められた移動量だけ可動扉が開移動して開口を開成しているので、次のような問題があった。一般に、付室は建物毎に大きさが異なるために、上述したような特許文献１のように、ノブの開操作量に応じて一義的に可動扉の開移動量が決められて開口を開成する防火扉装置の場合、設置個所によっては、開成する開口面積が過大になり、付室と隣接する空間との圧力差を所定の大きさにすることができず、圧力差がなくなってしまう虞れがある一方、開成する開口面積が過小になり、付室と隣接する空間との圧力差が依然として過剰な大きさであり、付室と隣接する空間との圧力差を瞬時に所定の大きさにすることができない虞れがあった。
【００１１】
本発明は、上記実情に鑑みて、設置個所を問わず、付室と隣接する空間との圧力差を瞬時に所定の大きさにすることができる防火扉装置を提供することを目的とする。
【課題を解決するための手段】
【００１２】
上記目的を達成するために、本発明の請求項１に係る防火扉装置は、建物の避難区画に開閉可能となる態様で配設され、かつ付室を画成するための防火扉と、前記防火扉に設けられ、かつ開操作された場合に前記防火扉が開放動作することを許容するノブとを備えた防火扉装置において、前記防火扉の一部を構成し、かつ前記ノブの開操作に応じて開移動して前記防火扉に形成された開口を開成する一方、該ノブの開操作終了に応じて閉移動して前記開口を閉成する圧力調整扉と、前記ノブの開操作に応じて開移動する前記圧力調整扉の開移動量を調整する開移動量調整手段とを備えたことを特徴とする。
【００１３】
また、本発明の請求項２に係る防火扉装置は、上述した請求項１において、前記圧力調整扉は、前記防火扉の下端部を構成することを特徴とする。
【００１４】
また、本発明の請求項３に係る防火扉装置は、上述した請求項１又は請求項２において、前記圧力調整扉は、前記防火扉の幅方向に沿ってそれぞれが開閉移動する態様で回動可能に並設され、かつ付勢手段により付勢されて常態においては前記開口を閉成する複数のダンパー部材を備えて成り、前記ノブが開操作された場合に前記ダンパー部材が付勢手段の付勢力に抗して開移動して前記開口を開成する一方、該ノブの開操作が終了した場合に前記ダンパー部材が付勢手段に付勢されて閉移動して前記開口を閉成することを特徴とする。
【発明の効果】
【００１５】
本発明の防火扉装置によれば、防火扉の一部を構成する圧力調整扉が、ノブの開操作に応じて開移動して防火扉に形成された開口を開成する一方、該ノブの開操作終了に応じて閉移動して開口を閉成し、開移動量調整手段が、ノブの開操作に応じて開移動する圧力調整扉の開移動量を調整するので、防火扉装置が設置される付室の大きさに応じてノブの開操作量に応じて開移動する圧力調整扉の開移動量を調整することができ、これにより防火扉に形成された開口の実際の開口面積を調整することが可能になる。従って、設置個所を問わず、付室と、隣接する空間との圧力差を瞬時に所定の大きさにすることができるという効果を奏する。
【発明を実施するための最良の形態】
【００１６】
以下に添付図面を参照して、本発明に係る防火扉装置の好適な実施の形態について詳細に説明する。
【００１７】
図１は、本発明の実施の形態である防火扉装置が適用される建物の避難区画を模式的に示す平面図である。ここで例示する避難区画には、付室１が設けられている。この付室１は、上述したように建築基準法により規定されるものであり、階段室２と、例えば廊下や部屋等の隣接する空間（以下、廊下等ともいう）３との間に設けられている。
【００１８】
このような付室１と階段室２、あるいは付室１と廊下等３との境界には、防火扉装置１０が配設してある。防火扉装置１０は、図２に示すように、防火扉２０とノブ３０とを備えて構成してある。
【００１９】
防火扉２０は、付室１を画成するためのもので、避難区画に開閉可能に設けてある。より詳細に説明すると、防火扉２０は、付室１を画成する壁１ａに図示せぬ蝶番等の支持部材を介して揺動可能に配設してあり、付室１側に向けて揺動することにより開放動作する一方、階段室２側（あるいは廊下等３）に向けて揺動することにより閉塞動作するものである。かかる閉塞動作を行う結果、階段室２及び廊下等３から密閉された付室１を画成することになる。防火扉２０の詳細な構成は後述する。
【００２０】
尚、図１中の符号４は、給気ダクトであり、符号５は、給気ファンである。かかる給気ファン５の駆動により、給気ダクト４を通じて付室１の内部に空気が供給される結果、付室１の内部は加圧され、階段室２や廊下等３よりも圧力が高いものとなる。
【００２１】
ノブ３０は、図２に示すように、防火扉２０に設けられている。このノブ３０は、把持部３１を有し、かかる把持部３１が把持されて図２中の矢印ａ方向に開操作された場合に、防火扉２０が開放動作することを許容するものである。
【００２２】
上記防火扉２０の構成について説明する。図３は、図２におけるＡ−Ａ′線断面図であり、図４は、図２におけるＢ−Ｂ′線断面図である。
【００２３】
これら図２〜図３に示すように、防火扉２０は、内部にロックウール等を挿入して断熱構造を有する矩形状のものであり、下端部分に扉枠２１により囲繞された開口（以下、圧力調整口ともいう）２２が形成してある。
【００２４】
また、防火扉２０には、この圧力調整口２２を開閉させるための圧力調整扉２３が設けてある。圧力調整扉２３は、複数のダンパー部材２４及び開閉用板部材２５を備えて構成してある。
【００２５】
複数のダンパー部材２４は、それぞれが上下方向に沿って延在する軸部２４１の軸心回りに回動可能となる態様で、防火扉２０の幅方向に沿って並設してある。各ダンパー部材２４は、上下方向の大きさが圧力調整口２２の上下方向の大きさと略同じものである。それぞれのダンパー部材２４の両端部には、互いに異なる方向に向けて屈曲された当接部２４２，２４３が設けてある。より詳細には、ダンパー部材２４の一端（開放端）には、前方に向けて延在する当接部２４２が、他端（支持端）には、後方に向けて延在する当接部２４３が設けてある。
【００２６】
開閉用板部材２５は、水平方向に沿って延在する長尺状のものであり、各ダンパー部材２４の支持端にリンク機構２６を介して連結してある。この開閉用板部材２５の一端（右端）は、バネ部材２７を介して右側の扉枠２１に取り付けてある。バネ部材２７は、開閉用板部材２５を右方に付勢する付勢手段である。このバネ部材２７の付勢力により、図３に示すように開閉用板部材２５が付勢されて右方側に水平変位した位置にある場合、該開閉用板部材２５にリンク機構２６を介して連結された各ダンパー部材２４の当接部２４２，２４３が、隣接するダンパー部材２４に当接して重なることにより、圧力調整口２２を閉成することになる。
【００２７】
上記開閉用板部材２５の他端（左端）には、図５に示すように、開閉コード２８が接続してあり、かかる開閉コード２８を介してノブ３０に連結されている。このことについてより詳細に説明すると次のようになる。開閉コード２８は、一端がノブ３０に接続され、他端が開閉用板部材２５の左端に接続されて、滑車２８ａ等を介して張設されたものである。このような開閉コード２８は、ノブ３０が開操作されて図５中の矢印ａ方向に沿って回転した場合に、実線矢印で示す方向に変位する一方、ノブ３０の開操作が終了して該ノブ３０がフリーな状態となって、上記バネ部材２７の付勢力により開閉用板部材２５が矢印ｂ方向に水平変位した場合に、鎖線矢印で示す方向に変位するものである。このように開閉コード２８が鎖線矢印で示す方向に変位する結果、ノブ３０は、開操作とは反対の方向に沿って回転することになる。
【００２８】
そのような開閉コード２８の他端は、図５に拡大して示すように、調整代２８１となっている。この調整代２８１は、鎖状の構造を有しており、鎖の孔にネジ棒２９が挿通され、開閉用板部材２５の左端に一体的に設けられた留め具２５１がネジ棒２９に固定されることにより開閉用板部材２５の左端に接続するものである。そして、ネジ棒２９が挿通される鎖の孔を変更することにより、ノブ３０と開閉用板部材２５との間で張設される開閉用コードの長さを変更することができる。
【００２９】
以上のような構成を有する防火扉装置１０においては、ノブ３０がフリーな状態となっている場合には、図３及び図４に示すように、バネ部材２７に付勢されて開閉用板部材２５が右方に変位した位置にあり、これにより、ダンパー部材２４が互いの当接部２４３が隣接するダンパー部材２４に当接する態様で重なり合って圧力調整口２２を閉成している。このとき最も左方側にあるダンパー部材２４の開放端にある当接部２４３は、左側の扉枠２１に設けられた閉塞用突起片２１ａに当接する一方、最も右方側にあるダンパー部材２４の支持端にある当接部２４３は、右側の扉枠２１に設けられた閉塞用突起片２１ａに当接して、圧力調整口２２を閉成している。
【００３０】
かかる状態で、ノブ３０の把持部３１が把持されて、図２及び図５中の矢印ａ方向に沿ってノブ３０が回転、すなわち開操作された場合、開閉コード２８が図５中の鎖線矢印方向に沿って変位する。この結果、図６及び図７に示すように、開閉用板部材２５がバネ部材２７の付勢力に抗して左方に向けて水平変位し、これにより、この開閉用板部材２５にリンク機構２６を介して連結されたダンパー部材２４は、軸部２４１の軸心回りに当接部２４２が後方側、当接部２４３が前方側に向けて回動して開移動し、これにより圧力調整口２２を開成させる。
【００３１】
ここで、開閉コード２８の調整代２８１における開閉用板部材２５との連結部位を変更することにより、つまり、ネジ棒２９が挿通される鎖の孔を変更することにより、ノブ３０と開閉用板部材２５との間で張設される部分の長さを変更することができ、このことからノブ３０の開操作によって水平変位する開閉用板部材２５の変位量を変更することになる。かかる開閉用板部材２５の変位量を変更することにより、これにリンク機構２６を介して連結されたダンパー部材２４の開移動量が変更され、圧力調整口２２における実際の開口面積が変更されることになる。
【００３２】
このように調整代２８１は、ノブ３０の開操作に応じて開移動するダンパー部材２４の開移動量を調整する開移動量調整手段を構成している。
【００３３】
以上説明したように、本実施の形態である防火扉装置１０においては、防火扉２０の一部を構成する圧力調整扉２３が、ノブ３０の開操作に応じて開移動して圧力調整口２２を開成する一方、該ノブ３０の開操作終了に応じて閉移動して圧力調整口２２を閉成し、開閉コード２８の調整代２８１が、ノブ３０の開操作に応じて開移動する圧力調整扉２３の開移動量を調整するので、該防火扉装置１０が設置される付室１の大きさに応じてノブ３０の開操作量に応じて開移動する圧力調整扉２３の開移動量を調整することができ、これにより圧力調整口２２の実際の開口面積を調整することが可能になる。従って、本実施の形態の防火扉装置１０によれば、設置個所を問わず、付室１と、階段室２、あるいは廊下等３との圧力差を瞬時に所定の大きさにすることができる。
【００３４】
また、上記防火扉装置１０においては、防火扉２０を構成する圧力調整扉２３が圧力調整口２２を開閉するものであるから、圧力調整扉２３は該防火扉２０の下端部を構成している。そのため、建物の火災時等に圧力調整扉２３を開成させても、付室１の空気が圧力調整口２２から廊下等３に流れることにより煙を乱してしまうことを抑制することができる。
【００３５】
更に、上記防火扉装置１０においては、圧力調整扉２３が、防火扉２０の幅方向に沿ってそれぞれが開閉移動する態様で回動可能に並設された複数のダンパー部材２４を備えているので、個々のダンパー部材２４の面積を小さくすることができ、これにより付室１と、階段室２、あるいは廊下等３との間の過剰な圧力差によってダンパー部材２４が勝手に開移動する虞れがない。
【図面の簡単な説明】
【００３６】
【図１】本発明の実施の形態である防火扉装置が適用される建物の避難区画を模式的に示す平面図である。
【図２】図１に示す防火扉装置を示す説明図である。
【図３】図２におけるＡ−Ａ′線断面図である。
【図４】図２におけるＢ−Ｂ′線断面図である。
【図５】ノブと開閉用板部材との接続状態を模式的に示す説明図である。
【図６】図３に示した状態から圧力調整扉が開移動した状態を示す断面図である。
【図７】図４に示した状態から圧力調整扉が開移動した状態を示す断面図である。
【符号の説明】
【００３７】
１    付室
２    階段室
３    廊下等
１０    防火扉装置
２０    防火扉
２２    圧力調整口
２３    圧力調整扉
２４    ダンパー部材
２５    開閉用板部材
２５１    留め具
２６    リンク機構
２７    バネ部材
２８    開閉コード
２８１    調整代
２９    ネジ棒
３０    ノブ
３１    把持部
【図１】
2010090538.tif 000003
【図２】
2010090538.tif 000004
【図３】
2010090538.tif 000005
【図４】
2010090538.tif 000006
【図５】
2010090538.tif 000007
【図６】
2010090538.tif 000008
【図７】
2010090538.tif 000009